(57)【要約】【課題】  被監視制御所内だけで能率的にかつ正確に試験を行うことができる集中監視制御システムの試験方法を提供すること。【解決手段】  集中監視制御装置１２１の試験モード監視制御装置４２を動作させるデータとプログラムとを被監視制御所１１１内に設けた模擬監視制御装置２７に供給してこの模擬監視制御装置２７を前記のデータとプログラムとで動作させるとともに、被監視制御所１１１から集中監視制御装置１２１に送信された動作情報を集中監視制御装置１２１から前記模擬監視制御装置２７に供給してこの模擬監視制御装置２７で表示させるようにする。このようにすると、被監視制御所１１１内の模擬監視制御装置２７は、集中監視制御装置１２１の試験モード監視制御装置４２と同一動作状態となり、集中監視制御装置１２１での表示状態と全く同一の表示状態が被監視制御所１１１内に実現する。【選択図】      図１
2006230141.tif 000002
【特許請求の範囲】
【請求項１】
被監視制御所の遠隔監視制御装置を試験信号で動作させる手段と、
この手段による動作にともない前記遠隔監視制御装置から出力される動作情報を通信網を介して集中監視制御装置に送信する手段と、
前記集中監視制御装置で受信された前記動作情報を通信網を介して前記被監視制御所に設けた模擬監視装置に供給する手段と、
前記集中監視制御装置の監視装置を動作させるデータとプログラムとを前記被監視制御所の模擬監視装置に通信網を介して供給する手段と、
この手段により供給された前記データとプログラムとで前記被監視制御所の模擬監視装置を動作させ、その被監視制御所の模擬監視装置に、前記手段により供給された前記動作情報を表示させる手段と
を具備することを特徴とする集中監視制御システムの試験方法。
【請求項２】
前記遠隔監視制御装置から出力される前記動作情報は、中継装置を介して所定の集中監視制御装置に送信されることを特徴とする請求項１に記載の集中監視制御システムの試験方法。
【請求項３】
中継装置を介して動作情報が送信された所定の集中監視制御装置から前記動作情報と前記データおよびプログラムとが被監視制御所の模擬監視装置に供給されるように、動作情報の供給経路とデータおよびプログラムの供給経路とを複数の集中監視制御装置の間で切替える切替手段を有することを特徴とする請求項２に記載の集中監視制御システムの試験方法。
【請求項４】
集中監視制御装置の制御信号用のプログラムおよびデータを通信網に送出する手段と、
この手段により送出された前記プログラムおよびデータを前記通信網を介して被監視制御所の模擬制御装置で取得して、この模擬制御装置を前記プログラムおよびデータで動作させ、制御信号を発生させる手段と、
この手段により発生した前記制御信号を通信網を介して一旦前記集中監視制御装置に送った後、この集中監視制御装置から通信網を介して前記被監視制御所内の遠隔監視制御装置に供給し、この遠隔監視制御装置を制御する手段と、
この遠隔監視制御装置の制御にともない該遠隔監視制御装置から出力される動作情報を前記被監視制御所内に設けた表示装置に表示させる手段と
を具備することを特徴とする集中監視制御システムの試験方法。
【請求項５】
集中監視制御装置に一旦送った後、この集中監視制御装置から被監視制御所の遠隔監視制御装置に供給される制御信号は、中継装置を介して遠隔監視制御装置に供給されることを特徴とする請求項４に記載の集中監視制御システムの試験方法。
【請求項６】
制御信号用のプログラムおよびデータを取得し、かつ制御信号を一旦送る集中監視制御装置を切替えるための切替手段を有することを特徴とする請求項４に記載の集中監視制御システムの試験方法。
【発明の詳細な説明】
【技術分野】
【０００１】
本発明は、遠方の変電所や発電所など複数の被監視制御所の稼動状態を集中監視制御装置で監視制御する集中監視制御システムに係り、特にその集中監視制御システムの試験方法に関するものである。
【背景技術】
【０００２】
先行技術文献としては下記特許文献１が挙げられる。
【特許文献１】特開２００３−２３３４０４号公報
【０００３】
電力会社においては、遠方の変電所や発電所など複数の被監視制御所の稼動状態を複数の場所の複数の集中監視制御装置で監視制御している。図３はその様子を示す一構成例で、変電所や発電所などの第１の被監視制御所１１１、第２の被監視制御所１１２と集中監視制御所内などの第１の集中監視制御装置１２１、基幹給電制御所内などの第２の集中監視制御装置１２２、営業所内などの第３の集中監視制御装置１２３とが給電情報ネットワーク１３および中継装置１４を介して接続される。
【０００４】
第１、第２の被監視制御所１１１，１１２内には、現場機器２１、現場操作スイッチ２２、遠隔監視制御装置２３、遠方現場切替スイッチ２４が設けられ、遠方現場切替スイッチ２４で切替えて現場操作スイッチ２２または遠隔監視制御装置２３により現場機器２１の稼動状態を制御できる。このとき、遠隔監視制御装置２３は、中継装置１４および給電情報ネットワーク１３を介して供給される第１ないし第３の集中監視制御装置１２１，１２２，１２３からの制御信号により制御される。また、遠隔監視制御装置２３は、現場機器２１の状態や計測値（被監視制御所の稼動状態）を表す稼動情報を出力する。この稼動情報は、給電情報ネットワーク１３および中継装置１４を介して第１ないし第３の集中監視制御装置１２１，１２２，１２３に送信される。
【０００５】
第１ないし第３の集中監視制御装置１２１，１２２，１２３は、運転モード監視制御装置４１、試験モード監視制御装置４２、プログラム４３、監視制御データ４４および試験スイッチ４５を備える。運転モード監視制御装置４１および試験モード監視制御装置４２は、プログラム４３および監視制御データ４４からプログラムとデータを得て動作状態となる。通常、試験スイッチ４５は運転モード監視制御装置４１側に接続されており、これにより、前述のようにして第１および第２の被監視制御所１１１，１１２から第１ないし第３の集中監視制御装置１２１，１２２，１２３に送信された稼動情報は、運転モード監視制御装置４１に供給され、この運転モード監視制御装置４１で表示される。その結果、第１および第２の被監視制御所１１１，１１２の稼動状態を運転モード監視制御装置４１で監視することができる。また、この運転モード監視制御装置４１から制御信号を発生させて、その制御信号を第１および第２の被監視制御所１１１，１１２の遠隔監視制御装置２３に送り、その遠隔監視制御装置２３を制御することにより、第１および第２の被監視制御所１１１，１１２の現場機器２１の稼動状態を制御することができる。
【０００６】
さて、上記のような集中監視制御システムにおいて、第１および第２の被監視制御所１１１，１１２内の遠隔監視制御装置２３が正しく動作するか、中継装置１４が正しく動作するか、第１ないし第３の集中監視制御装置１２１，１２２，１２３の監視制御装置で情報が正しく表示されるかを試験する必要がある。このとき、第１ないし第３の集中監視制御装置１２１，１２２，１２３はソフト、データの作りがそれぞれ異なり、画面構成も同一ではないので、各被監視制御所と各集中監視制御装置とは、それぞれ、個別に対向試験を行う必要がある。いま、試験を第１の被監視制御所１１１と第１の集中監視制御装置１２１との間で行うとすると、従来は、第１の被監視制御所１１１内に、試験データを入力し、かつ表示を行う試験データ入力表示装置２５と、この試験データ入力表示装置２５からの試験データを遠隔監視制御装置２３が受け付ける信号形式に変換する変換器２６とを設け、この変換器２６から出力された試験信号で遠隔監視制御装置２３を動作させる。そして、その動作にともない遠隔監視制御装置２３から出力された該遠隔監視制御装置２３の動作状態を表す動作情報を給電情報ネットワーク１３および中継装置１４を介して第１の集中監視制御装置１２１に送信する。
【０００７】
第１の集中監視制御装置１２１では、第１の被監視制御所１１１に接続される試験スイッチ４５を試験モード監視制御装置４２側に切替える。その結果、前記動作情報は試験モード監視制御装置４２に供給され、この試験モード監視制御装置４２で表示されるようになる。この表示状態を試験者が見て、さらには、第１の被監視制御所１１１内の試験者と電話などで連絡を取り合って、表示状態（出力）と試験データ（入力）との関係を照合して、遠隔監視制御装置２３、中継装置１４および表示が正しく動作したかを確認する。
【発明の開示】
【発明が解決しようとする課題】
【０００８】
しかしながら、上記のような従来の試験方法では、試験を行う所定の被監視制御所と集中監視制御装置の両方に試験者を配置しなければならないので時間と人手が多くかかり大変であるとともに、電話などで連絡を取り合わなければならないので非能率であり、かつ連絡に起因するミスも発生するので正確性に問題があるという欠点があった。
【０００９】
本発明は上記の点に鑑みなされたもので、被監視制御所内だけで能率的にかつ正確に集中監視制御システムの試験を行うことができる集中監視制御システムの試験方法を提供することを目的とする。
【課題を解決するための手段】
【００１０】
本発明の第１の集中監視制御システムの試験方法は、被監視制御所の遠隔監視制御装置を試験信号で動作させる手段と、この手段による動作にともない前記遠隔監視制御装置から出力される動作情報を通信網を介して集中監視制御装置に送信する手段と、前記集中監視制御装置で受信された前記動作情報を通信網を介して前記被監視制御所に設けた模擬監視装置に供給する手段と、前記集中監視制御装置の監視装置を動作させるデータとプログラムとを前記被監視制御所の模擬監視装置に通信網を介して供給する手段と、この手段により供給された前記データとプログラムとで前記被監視制御所の模擬監視装置を動作させ、その被監視制御所の模擬監視装置に、前記手段により供給された前記動作情報を表示させる手段とを具備することを特徴とする。
【００１１】
より具体的な形態として、前記遠隔監視制御装置から出力される前記動作情報は、中継装置を介して所定の集中監視制御装置に送信される。また、中継装置を介して動作情報が送信された所定の集中監視制御装置から前記動作情報と前記データおよびプログラムとが被監視制御所の模擬監視装置に供給されるように、動作情報の供給経路とデータおよびプログラムの供給経路とを複数の集中監視制御装置の間で切替える切替手段を有する。
【００１２】
本発明の第２の集中監視制御システムの試験方法は、集中監視制御装置の制御信号用のプログラムおよびデータを通信網に送出する手段と、この手段により送出された前記プログラムおよびデータを前記通信網を介して被監視制御所の模擬制御装置で取得して、この模擬制御装置を前記プログラムおよびデータで動作させ、制御信号を発生させる手段と、この手段により発生した前記制御信号を通信網を介して一旦前記集中監視制御装置に送った後、この集中監視制御装置から通信網を介して前記被監視制御所内の遠隔監視制御装置に供給し、この遠隔監視制御装置を制御する手段と、この遠隔監視制御装置の制御にともない該遠隔監視制御装置から出力される動作情報を前記被監視制御所内に設けた表示装置に表示させる手段とを具備することを特徴とする。
【００１３】
より具体的な形態として、集中監視制御装置に一旦送った後、この集中監視制御装置から被監視制御所の遠隔監視制御装置に供給される制御信号は、中継装置を介して遠隔監視制御装置に供給される。また、制御信号用のプログラムおよびデータを取得し、かつ制御信号を一旦送る集中監視制御装置を切替えるための切替手段を有する。
【発明の効果】
【００１４】
上記のような本発明の第１の集中監視制御システムの試験方法によれば、集中監視制御装置の監視装置を動作させるデータとプログラムとを被監視制御所内の模擬監視装置に供給してこの模擬監視装置を前記データとプログラムとで動作させるとともに、集中監視制御装置で受信された動作情報を前記被監視制御所内の模擬監視装置に供給してこの模擬監視装置で表示させることにより、被監視制御所内に、集中監視制御装置の監視装置と同一動作の模擬監視装置を実現したので、この模擬監視装置を見ながら、被監視制御所内だけで能率的にかつ正確に集中監視制御システムの試験を行うことができる。
【００１５】
また、本発明の第２の集中監視制御システムの試験方法によれば、集中監視制御装置の制御信号用プログラムおよびデータで被監視制御所内の模擬制御装置を動作させて、集中監視制御装置内の制御装置と同一の制御装置を被監視制御所内に実現することにより、被監視制御所内で制御信号の発生状態を確認することが可能となり、しかも同被監視制御所内で動作情報を表示装置により確認することができるので、本発明の第１の試験方法と同様に、被監視制御所内だけで能率的にかつ正確に集中監視制御システムの試験を行うことができる。
【発明を実施するための最良の形態】
【００１６】
次に添付図面を参照して本発明による集中監視制御システムの試験方法の実施形態を詳細に説明する。図１は本発明の第１実施形態を説明するための構成図である。この図において、集中監視制御システムの基本構成は図３と同一であるから、同一部分については図３と同一符号を付してその説明を省略し、以下では本発明の試験方法に関する部分についてのみ説明する。また、本発明では、各被監視制御所とすべての集中監視制御装置との間で選択的に同様にして試験を行えるが、以下では第１の被監視制御所１１１と第１の集中監視制御装置１２１との間で試験を行うものとする。
【００１７】
第１の被監視制御所１１１内には、模擬監視制御装置２７が設けられる。この模擬監視制御装置２７は、固有のデータ２８とプログラム２９とを有する。また、第１の被監視制御所１１１内には、試験データを入力し、かつ表示を行う試験データ入力表示装置２５と、この試験データ入力表示装置２５からの試験データを遠隔監視制御装置２３が受け付ける信号形式に変換する変換器２６とが設けられ、試験時、この変換器２６から出力された試験信号で遠隔監視制御装置２３が動作する。そして、その動作にともない遠隔監視制御装置２３から出力された該遠隔監視制御装置２３の動作状態を表す動作情報は、給電情報ネットワーク１３および中継装置１４を介して第１の集中監視制御装置１２１に送信される。
【００１８】
一方、第１の集中監視制御装置１２１では、監視制御データ４４とプログラム４３とから得られる、試験モード監視制御装置４２を動作させるデータとプログラムとを給電情報ネットワーク１３を介して第１の被監視制御所１１１内の前記模擬監視制御装置２７に送信する。このようにすると、第１の被監視制御所１１１内の模擬監視制御装置２７は、第１の集中監視制御装置１２１から供給されたデータとプログラムとを取得して、第１の集中監視制御装置１２１の試験モード監視制御装置４２と同様に、第１の集中監視制御装置１２１のデータとプログラムとで動作するようになり、これは第１の集中監視制御装置１２１の試験モード監視制御装置４２と同一の監視制御装置が第１の被監視制御所１１１内に実現したことになる。このとき、第１の被監視制御所１１１内の模擬監視制御装置２７は、第１の集中監視制御装置１２１からのデータとプログラムとを第１の切替スイッチ３０（第１の切替スイッチ３０の動作については後述する）を介して受信する。
【００１９】
また、第１の集中監視制御装置１２１では、第１の被監視制御所１１１の遠隔監視制御装置２３から送信されて受信し、試験スイッチ４５を介して試験モード監視制御装置４２に供給される動作情報を給電情報ネットワーク１３に再送信して、動作情報を第１の被監視制御所１１１内の模擬監視制御装置２７に供給する。このとき、動作情報は、第２の切替スイッチ３１（第２の切替スイッチ３１の動作については後述する）を介して第１の被監視制御所１１１内の模擬監視制御装置２７に供給される。
【００２０】
これらの説明より分かるように、第１実施形態では、第１の集中監視制御装置１２１の試験モード監視制御装置４２を動作させるデータとプログラムとを第１の被監視制御所１１１内に設けた模擬監視制御装置２７に供給してこの模擬監視制御装置２７を前記のデータとプログラムとで動作させるとともに、第１の被監視制御所１１１から第１の集中監視制御装置１２１に送信された動作情報を第１の集中監視制御装置１２１から前記模擬監視制御装置２７に供給してこの模擬監視制御装置２７で表示させるようにする。このようにすると、第１の被監視制御所１１１内の模擬監視制御装置２７は、第１の集中監視制御装置１２１の試験モード監視制御装置４２と同一動作状態となり、第１の集中監視制御装置１２１での表示状態と全く同一の表示状態が前記模擬監視制御装置２７により第１の被監視制御所１１１内に実現する。したがって、第１の被監視制御所１１１の模擬監視制御装置２７の表示状態を確認して、さらにはその表示状態（出力）と試験データ（入力）との関係を照合して第１の被監視制御所１１１内だけで能率的にかつ正確に集中監視制御システムの試験（遠隔監視制御装置２３、中継装置１４および表示が正しく動作したかの試験）を行うことができる。
【００２１】
上記の場合は第１の被監視制御所１１１と第１の集中監視制御装置１２１との間で試験を行ったが、第１の被監視制御所１１１と第１ないし第３のいずれの集中監視制御装置１２１，１２２，１２３との間でも選択的に同様にして試験を行えるようにする必要がある。その場合は、中継装置（情報の行き先を決めて中継する装置。情報の行き先などのデータを持っている）１４の動作により動作情報が送信された所定の集中監視制御装置から前記動作情報と、試験モード監視制御装置を動作させるデータおよびプログラムとが第１の被監視制御所１１１内の模擬監視制御装置２７に供給されるように、動作情報の供給経路とデータおよびプログラムの供給経路とを切替える必要がある。その切替えを第１の切替スイッチ３０および第２の切替スイッチ３１が行っており、第１の切替スイッチ３０はデータとプログラムの供給経路を第１ないし第３の集中監視制御装置１２１，１２２，１２３の間で切替えており、第２の切替スイッチ３１は動作情報の供給経路を第１ないし第３の集中監視制御装置１２１，１２２，１２３の間で切替えている。この第１および第２の切替スイッチ３０，３１は連動している。この第１および第２の切替スイッチ３０，３１を設けることにより、動作情報が送信された所定の集中監視制御装置から前記動作情報と、試験モード監視制御装置を動作させるデータおよびプログラムとが第１の被監視制御所１１１内の模擬監視制御装置２７に供給されるようになり、第１の被監視制御所１１１と第１ないし第３の集中監視制御装置１２１，１２２，１２３のいずれとの間でも選択的に同様にして試験を行うことができる。
【００２２】
上記は、第１の被監視制御所１１１と第１ないし第３の集中監視制御装置１２１，１２２，１２３との間で試験を行う場合であるが、同様にして第２の被監視制御所１１２と第１ないし第３の集中監視制御装置１２１，１２２，１２３との間でも試験を行うことができる。さらに、上記第１実施形態に限定されず、種々の被監視制御所と種々の集中監視制御装置との間で同様にして試験を実施することができる。
【００２３】
以上の第１実施形態は、被監視制御所から集中監視制御装置に供給される動作情報の表示に着目して本発明を構成した場合であるが、集中監視制御装置から被監視制御所に供給される制御信号に着目して本発明を構成した場合が次の第２実施形態である。第２実施形態でも第１実施形態と同様に被監視制御所内だけで試験を実施することができる。第２実施形態を図２に示す。図２は、黒太線で示す信号の流れのみが図１と相違し、他は図１と全く同一である。
【００２４】
第１の集中監視制御装置１２１の試験モード監視制御装置４２を動作させる監視制御データ４４とプログラム４３とを上述の第１実施形態で述べたようにして第１の被監視制御所１１１の模擬監視制御装置２７に取り込むと、該模擬監視制御装置２７は、第１の集中監視制御装置１２１の試験モード監視制御装置４２の表示機能と同一の表示機能に加えて、試験モード監視制御装置４２の制御信号発生機能と同一の制御信号発生機能を備え、試験モード監視制御装置４２に代わって試験用の制御信号を第１の被監視制御所１１１内で発生できる。
【００２５】
したがって、試験を行う場合は、第１の被監視制御所１１１内で模擬監視制御装置２７により制御信号を発生させ、この制御信号を第２の切替スイッチ３１および給電情報ネットワーク１３を介して一旦、第１の集中監視制御装置１２１に送った後、この第１の集中監視制御装置１２１から再び給電情報ネットワーク１３に送出し、中継装置１４を介して第１の被監視制御所１１１内の遠隔監視制御装置２３に供給し、この遠隔監視制御装置２３を制御する。そして、この制御にともない遠隔監視制御装置２３から出力される該遠隔監視制御装置２３の動作状態を示す動作情報を、変換器２６により試験データ入力表示装置２５が受け付けるデータ形式に変換した上で該試験データ入力表示装置２５に供給し、この試験データ入力表示装置２５で表示させる。
【００２６】
このようにすれば、第１の被監視制御所１１１内で模擬監視制御装置２７により制御信号の発生状態を確認することが可能となり、しかも第１の被監視制御所１１１内で動作情報を試験データ入力表示装置２５により確認することができるので、第１実施形態と同様に、第１の被監視制御所１１１内だけで能率的にかつ正確に集中監視制御システムの試験を行うことができる。
【００２７】
この第２実施形態においても、監視制御データとプログラムとを取得し、かつ発生させた制御信号を一旦送る集中監視制御装置を第１、第２の切替スイッチ３０，３１で切替えることにより、第１の被監視制御所１１１と第１ないし第３のいずれの集中監視制御装置１２１〜１２３との間でも試験を実施することができる。さらに同様にして、各被監視制御所と各集中監視制御装置の間で試験を実施することができる。
【図面の簡単な説明】
【００２８】
【図１】本発明の第１実施形態を説明するための構成図。
【図２】本発明の第２実施形態を説明するための構成図。
【図３】複数の被監視制御所の稼動状態を複数の場所の複数の集中監視制御装置で監視制御している様子を示す一構成例の図。
【符号の説明】
【００２９】
１１１，１１２  第１、第２の被監視制御所
１２１，１２２，１２３  第１、第２、第３の集中監視制御装置
１３  給電情報ネットワーク
１４  中継装置
２３  遠隔監視制御装置
２５  試験データ入力表示装置
２６  変換器
２７  模擬監視制御装置
３０，３１  第１、第２の切替スイッチ
４１  運転モード監視制御装置
４２  試験モード監視制御装置
４３  プログラム
４４  監視制御データ
４５  試験スイッチ
【図１】
2006230141.tif 000003
【図２】
2006230141.tif 000004
【図３】
2006230141.tif 000005